(57)【要約】      （修正有）【課題】新規な編み方の保形性靴下を提供する。【解決手段】ウェルト部１、身部２、かかと部３、足部４、つま先部５をそれぞれ有する表側編地部１０及び裏側編地部２０とからなる靴下である。両編地部１０、２０は、表糸と裏糸とを一緒に丸編みによって形成されて両者のウェルト部１で連結してつま先部５が開口している。表糸及び裏糸の少なくとも一方に熱融着性糸が使用されている。裏側編地部２０内にそのウェルト部１から表側編地部１０を熱融着性糸が内側になるように折り込み、その両編地部１０、２０のつま先部５の開口を一緒に縫合する。このつま先部が縫合されて重なった裏側編地部２０と表側編地部１０とを、表側編地部１０が裏側編地部２０の外側に成るように裏返して足型に被せ、熱処理して熱融着性糸を溶融して裏側編地部２０と表側編地部１０とを一体化し、足型に沿った保形状態とする。【選択図】図１
0003220379.tif 000002
【実用新案登録請求の範囲】
【請求項１】
ウェルト部（１）、身部（２）、かかと部（３）、足部（４）、つま先部（５）を有する靴下（Ｐ）であって、
上記ウェルト部（１）、身部（２）、かかと部（３）、足部（４）、つま先部（５）をそれぞれ有する表側編地部（１０）及び裏側編地部（２０）とからなって、その両編地部（１０、２０）は、表糸と裏糸とを一緒に丸編みによって形成されて両者のウェルト部（１、１）で連結しているとともに、上記つま先部（５、５）が開口（５ａ）し、
かつ、上記表糸及び裏糸の少なくとも一方に熱融着性糸が使用されており、
上記裏側編地部（２０）内にそのウェルト部（１）から表側編地部（１０）を熱融着性糸が内側になるように折り込まれて、両編地部（１０、２０）のつま先部（５）の開口（５ａ）が一緒に縫合（ａ）され、
このつま先部（５、５）で縫合されて重なった裏側編地部（２０）と表側編地部（１０）とを、表側編地部（１０）が裏側編地部（２０）の外側になるように裏返して足型（Ｄ）に被せ、熱処理により熱融着性糸を溶融して裏側編地部（１０）と表側編地部（２０）とを一体化するとともに、足型（Ｄ）に沿った保形状態とした靴下。
【考案の詳細な説明】
【技術分野】
【０００１】
この考案は、短靴の様な形状を保った保形性靴下に関するものである。
【背景技術】
【０００２】
靴下は、ウェルト部、身部、かかと部、足部、つま先部からなり、横編み、丸編みなどによって編成され、通常は、扁平状である。
今日、生活様式の多様化により、靴下に保形性を持たせてスリッパや室内シューズのような機能を持たせた、保形性靴下が考案されている。
その一例として、特許文献１には、少なくとも前後一対の針床を備える横編み機で無縫製に編成され、かつ、第一編糸と、第一編糸に沿って編み込まれる第二編糸とを用いて編成された混成部を有するベース編地部を備え、上記第一編糸は、熱融着糸ではない編糸であり、上記第二編糸は、熱融着性および熱収縮性を有する熱融着糸であるフットウェアが開示されている。
【先行技術文献】
【特許文献】
【０００３】
【特許文献１】特許第６０８６８７２号公報
【考案の概要】
【考案が解決しようとする課題】
【０００４】
上記フットウェアは、横編み機によって編成されており、丸編みによって編成される保形性靴下が望まれた。
【０００５】
この考案は、以上の実状の下、丸編みによる保形性靴下を提供することを課題とする。
【課題を解決するための手段】
【０００６】
上記課題を達成するため、この考案は、ウェルト部、身部、かかと部、足部、つま先部を有する靴下であって、前記ウェルト部、身部、かかと部、足部、つま先部をそれぞれ有する表側編地部及び裏側編地部とからなって、その両編地部は、表糸と裏糸とを一緒に丸編みによって形成されて両者のウェルト部で連結しているとともに、前記つま先部が開口し、前記表糸及び裏糸の少なくとも一方に熱融着性糸が使用されており、前記裏側編地部内にそのウェルト部から表側編地部を熱融着性糸が内側になるように折り込まれて、両編地部のつま先部の開口が一緒に縫合され、このつま先部で縫合されて重なった裏側編地部と表側編地部とを、表側編地部が裏側編地部の外側に成るように裏返して足型に被せ、熱処理により熱融着性糸を溶融して裏側編地部と表側編地部とを一体化するとともに、足型に沿った保形状態とした構成としたのである。
【０００７】
このように、靴下を丸編みで編成すれば、筒状に編成されるため、つま先部を縫合するだけである。これに対し、靴下を横編みで編成すれば、通常、長さ方向の側縁（脇）を編成して筒状とするため、その作業が繁雑である。また、丸編みは当初から筒状に編成しているため、保形状態においても、その維持が安定する。
【考案の効果】
【０００８】
この考案は、以上のように構成し、丸編みで靴下を筒状に編成するので、横編みによる靴下の編成に比べれば、コスト的に有利であり、従来になかった安価な安定した保形性靴下となる。
【図面の簡単な説明】
【０００９】
【図１】この考案に係る保形性靴下の一実施形態の斜視図
【図２】同実施形態の製作説明図
【図３】同製作説明図
【図４】同製作説明図
【図５】同製作説明図
【図６】同他の実施形態の斜視図
【図７】同さらに他の実施形態の実品写真斜視図
【図８】同さらに他の実施形態の実品写真斜視図
【考案を実施するための形態】
【００１０】
この考案に係る保形性靴下の一実施形態を図１〜図５に示し、この靴下Ｐ１は、ウェルト部（口ゴム部）１、身部２、かかと部３、足部４、つま先部５をそれぞれ有する、表側編地部１０と裏側編地部２０とからなる。この靴下Ｐ１は、短靴（スニーカーソックス）仕様のため、身部２は足部４の上部で構成されている。
【００１１】
この両編地部１０、２０は、まず、図２に示す、表糸と裏糸とを一緒に丸編みの平編みによって形成して両者のウェルト部１、１で連結し、つま先部５が開口したものを編成する。このとき、かかと部３は半回転編みで立体的に編むため、ゴアラインｂが生じている。また、ウェルト部１にはゴム糸を入れて弾力（伸縮性）を有する編成をおこなった。
【００１２】
この編成時、両編地部１０、２０の表糸と裏糸の少なくとも一方に熱融着性の糸（ホットメルト糸）を使用する。その熱融着性の糸は、表糸と裏糸の両者に混ぜ合わせても全体（表糸と裏糸の全部）でも良い。また、裏糸のみを熱融着性とすることもでき、この場合も全ての裏糸を熱融着性とする必要はない。この実施形態においては、裏糸に熱融着性糸の所要本数を混ぜ合わせた。熱融着性糸の混ぜ度合い（混本数）は、所要の保形が維持できるように実験などによって適宜に決定する。
熱融着性以外の糸は、熱融着性でない、下記熱処理では溶けない糸とする。例えば、熱融着性のない糸として、ポリエステルやナイロンなどが好ましいが、これらに限定されない。また、編糸は、モノフィラメント糸でも良いし、マルチフィラメント糸でも良い。特に、マルチフィラメント糸が好ましい。
【００１３】
熱融着性の糸は、モノフィラメント糸でも良いが、熱により収縮する材料からなる芯部と、その芯部よりも低融点の材料からなる鞘部とを備える芯鞘構造の熱融着性糸を利用することができる。
この熱融着性糸の芯部の収縮開始温度（融点よりも低い）、および鞘部の融点は、例えば１２０℃以上であることが好ましい。
【００１４】
つぎに、裏側編地部２０内にそのウェルト部１から表側編地部１０を熱融着性糸が内側（表裏側編地部１０、２０の熱融着性糸が向き合う側）になるように折り込んで（図３の破線部分で示すように折り込んで）、図４に示すように、両編地部１０、２０のつま先部５の開口を縫合する（縫合部ａ）。
このつま先部５、５で縫合されて重なった裏側編地部２０と表側編地部１０とを、表側編地部１０が裏側編地部２０の外側になるように裏返す。この裏返しによって、つま先部５、５の縫い合わせａの突部は靴下Ｐ１の裏側に隠れる。
【００１５】
この裏返した靴下Ｐ１を、図５に示すように足型（ラスト）Ｄに被せて熱処理する。この熱処理温度は、熱融着性糸が溶けて他の糸に接着するとともに、必要以上に冷却硬化しない程度を実験等によって適宜に設定する。
この熱処理によって、両編地部１０、２０の熱融着性の糸が溶けて他の糸に接着（結合）し、裏側編地部２０と表側編地部１０が一体化する。
その溶けた熱融着性の糸は、徐々に硬化するため、この靴下Ｐ１は足型Ｄに沿った、図１に示す保形状態となる。このため、室内用シューズ（短靴）やスリッパのように、上履きとして使用し得る。
【００１６】
靴下Ｐ２は、図６に示すように、ウェルト部１の後に舌片６を有するものとすることもできる。この靴下Ｐ２の場合、ウェルト部１の端（図２において上端）に舌片６が編成されることとなる。
図７、図８には、この考案に係る実品の保形性靴下Ｐ３、Ｐ４を示す。これらの靴下Ｐ３、同Ｐ４は、表側編地部１０の編糸に種々の色のものを使用することによって模様を形成している。
【００１７】
この靴下Ｐ１〜４には中敷きを入れたり、裏面に滑り止めを施したりすることができる。
なお、各靴下Ｐ１〜Ｐ４は、各図において表裏面がほぼ対称に表れている。
【００１８】
因みに、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００１９】
１  ウェルト部（口ゴム部）
２  身部
３  かかと部
４  足部
５  つま先部
６  舌片
１０  表側編地部
２０  裏側編地部
ａ  つま先部の縫合部（縫い合わせ部）
ｂ  ゴアライン
Ｄ  足型
【図１】
0003220379.tif 000003
【図２】
0003220379.tif 000004
【図３】
0003220379.tif 000005
【図４】
0003220379.tif 000006
【図５】
0003220379.tif 000007
【図６】
0003220379.tif 000008
【図７】
0003220379.tif 000009
【図８】
0003220379.tif 000010